【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
車両用シートの幅方向の両端部に設けられたサイドフレームを有するシートバックフレームであって、
前記サイドフレームは、
前記サイドフレームの延出方向における一端部をなし、前記延出方向と交差する断面が閉断面構造となっている閉断面構造部と、
前記延出方向において前記閉断面構造部と連続する部分をなし、前記断面が開断面構造となっている開断面構造部と、を備え、
前記閉断面構造部の下方に設けられた前記開断面構造部には、第一補強部と、エアバッグの力付取り付け部材を取り付けるための第一取付部と、が設けられており、
前記第一取付部は、前記第一補強部に隣接していることを特徴とするシートバックフレーム。
【請求項２】
前記第一補強部は、前記車両用シートの前端から後端に渡って形成されていることを特徴とする請求項１に記載のシートバックフレーム。
【請求項３】
前記車両用シートの上下方向において、前記第一補強部は、前記第一取付部よりも長く形成されていることを特徴とする請求項１又は２に記載のシートバックフレーム。
【請求項４】
前記車両用シートの前後方向において、前記第一補強部は、前記第一取付部よりも長く形成されていることを特徴とする請求項１乃至３のいずれか一項に記載のシートバックフレーム。
【請求項５】
前記閉断面構造部と前記第一補強部の間にはエアバッグの力付取り付け部材を取り付けるための第二取付部が設けられていることを特徴とする請求項１乃至４のいずれか一項に記載のシートバックフレーム。
【請求項６】
前記第一補強部は、前記第一取付部と前記第二取付部の間に設けられていることを特徴とする請求項５に記載のシートバックフレーム。
【請求項７】
前記車両用シートの前後方向において、前記第一補強部は、前記第二取付部よりも長く形成されていることを特徴とする請求項５又は６に記載のシートバックフレーム。
【請求項８】
前記車両用シートの上下方向において、前記第一補強部は、前記第二取付部よりも長く形成されていることを特徴とする請求項５乃至７のいずれか一項に記載のシートバックフレーム。
【請求項９】
前記閉断面構造部と前記車両用シートの幅方向で対向する位置に、第二補強部が設けられていることを特徴とする請求項５乃至８のいずれか一項に記載のシートバックフレーム。
【請求項１０】
前記第二取付部は、前記第一補強部と、前記第二補強部の間に形成されていることを特徴とする請求項９に記載のシートバックフレーム。
【請求項１１】
請求項１乃至１０のいずれか一項に記載のシートバックフレームを備えることを特徴とするシートフレーム。
【請求項１２】
請求項１１に記載のシートフレームと、
前記シートフレームに載置されたパッド材と、
前記パッド材の表面を覆う表皮材と、を備えることを特徴とする車両用シート。
【手続補正２】
【補正対象書類名】明細書
【補正対象項目名】発明の名称
【補正方法】変更
【補正の内容】
【発明の名称】シートバックフレーム、シートフレーム及び車両用シート
【手続補正３】
【補正対象書類名】明細書
【補正対象項目名】０００８
【補正方法】変更
【補正の内容】
【０００８】
前記課題は、本発明のシートバックフレームによれば、車両用シートの幅方向の両端部に設けられたサイドフレームを有するシートバックフレームであって、前記サイドフレームは、前記サイドフレームの延出方向における一端部をなし、前記延出方向と交差する断面が閉断面構造となっている閉断面構造部と、前記延出方向において前記閉断面構造部と連続する部分をなし、前記断面が開断面構造となっている開断面構造部と、を備え、前記閉断面構造部の下方に設けられた前記開断面構造部には、第一補強部と、エアバッグの力付取り付け部材を取り付けるための第一取付部と、が設けられており、前記第一取付部は、前記第一補強部に隣接していることにより解決される。
【手続補正４】
【補正対象書類名】明細書
【補正対象項目名】０００９
【補正方法】変更
【補正の内容】
【０００９】
以上のように構成された本発明のシートフレームでは、閉断面構造部と開断面構造部がサイドフレームに併存している。
【手続補正５】
【補正対象書類名】明細書
【補正対象項目名】００１０
【補正方法】変更
【補正の内容】
【００１０】
また、上記のシートバックフレームにおいて、前記第一補強部は、前記車両用シートの前端から後端に渡って形成されているとよい。
【手続補正６】
【補正対象書類名】明細書
【補正対象項目名】００１１
【補正方法】変更
【補正の内容】
【００１１】
また、上記のシートバックフレームにおいて、前記車両用シートの上下方向において、前記第一補強部は、前記第一取付部よりも長く形成されているとよい。
【手続補正７】
【補正対象書類名】明細書
【補正対象項目名】００１２
【補正方法】変更
【補正の内容】
【００１２】
また、上記のシートフレームにおいて、前記車両用シートの前後方向において、前記第一補強部は、前記第一取付部よりも長く形成されているとよい。
【手続補正８】
【補正対象書類名】明細書
【補正対象項目名】００１３
【補正方法】変更
【補正の内容】
【００１３】
また、上記のシートバックフレームにおいて、前記閉断面構造部と前記第一補強部の間にはエアバッグの力付取り付け部材を取り付けるための第二取付部が設けられているとよい。
【手続補正９】
【補正対象書類名】明細書
【補正対象項目名】００１４
【補正方法】変更
【補正の内容】
【００１４】
また、上記のシートバックフレームにおいて、前記第一補強部は、前記第一取付部と前記第二取付部の間に設けられているとよい。
【手続補正１０】
【補正対象書類名】明細書
【補正対象項目名】００１５
【補正方法】変更
【補正の内容】
【００１５】
また、上記のシートバックフレームにおいて、前記車両用シートの前後方向において、前記第一補強部は、前記第二取付部よりも長く形成されているとよい。
【手続補正１１】
【補正対象書類名】明細書
【補正対象項目名】００１６
【補正方法】変更
【補正の内容】
【００１６】
また、上記のシートバックフレームにおいて、前記車両用シートの上下方向において、前記第一補強部は、前記第二取付部よりも長く形成されているとよい。
【手続補正１２】
【補正対象書類名】明細書
【補正対象項目名】００１７
【補正方法】変更
【補正の内容】
【００１７】
また、上記のシートバックフレームにおいて、前記閉断面構造部と前記車両用シートの幅方向で対向する位置に、第二補強部が設けられているとよい。
【手続補正１３】
【補正対象書類名】明細書
【補正対象項目名】００１８
【補正方法】変更
【補正の内容】
【００１８】
また、上記のシートバックフレームにおいて、前記第二取付部は、前記第一補強部と、前記第二補強部の間に形成されているとよい。
【手続補正１４】
【補正対象書類名】明細書
【補正対象項目名】００１９
【補正方法】変更
【補正の内容】
【００１９】
また、前記課題は、本発明のシートフレームによれば、上記のシートバックフレームを備えることを特徴とするシートフレームにより解決される。
【手続補正１５】
【補正対象書類名】明細書
【補正対象項目名】００２０
【補正方法】変更
【補正の内容】
【００２０】
また、前記課題は、本発明の車両用シートによれば、上記のシートフレームと、前記シートフレームに載置されたパッド材と、前記パッド材の表面を覆う表皮材と、を備えることを特徴とする車両用シートにより解決される。